(57)【要約】【課題】映像データのトリミングに合わせて、字幕の重畳位置の自動調整を行い、これにより再収録業務の軽減を図り得る字幕放送素材処理装置及び字幕放送素材処理方法を提供する。【解決手段】映像データのトリミングが行なわれたとき、字幕データ検索機能１４２によりトリミング開始位置を示すタイムコードまたはトリミング終了位置を示すタイムコードを利用して、トリミングした映像の前後に重畳されている字幕データを検出し、トリミングによって字幕ページを構成するパケットが欠けてしまった字幕データを検出した場合に、字幕の重畳位置変更に先立ち、字幕データ判定機能１４３にて字幕データの内容をチェックし、字幕データ再重畳機能１４４にてこの字幕データの内容に基づいて映像データに対する字幕のパケットの重畳位置変更か破棄かを判定して重畳変更処理を実行するようにしている。【選択図】      図２
2009077085.tif 000002
【特許請求の範囲】
【請求項１】
映像表示に合わせて画面上の指定位置にパケット構造の字幕データを表示する字幕放送素材データを格納し、送出指示に応じて送出する放送素材送出装置に用いられ、指示入力に応じて前記放送素材送出装置に格納された字幕放送素材データ中の映像データのトリミングが行なわれた場合に、このトリミングに応じた字幕表示処理を実行する字幕放送素材処理装置であって、
前記映像データのトリミングが行なわれたとき、トリミングした映像の前後に重畳されている字幕データを検出する検出手段と、
この検出手段によりトリミング開始位置またはトリミング終了位置に字幕データのパケットが重なっている場合に、当該パケットの内容を解析し、この解析結果に基づいて前記映像データに対する字幕データのパケットの重畳位置変更・削除を制御する制御手段とを具備したことを特徴とする字幕放送素材処理装置。
【請求項２】
前記制御手段は、トリミング開始位置に字幕データのパケットが重なり、当該パケットの内容が字幕を消去するためのデータである場合に、当該字幕データのパケットの重畳位置をトリミング開始位置より前に送出が完了するように変更することを特徴とする請求項１記載の字幕放送素材処理装置。
【請求項３】
前記制御手段は、トリミング開始位置に字幕データのパケットが重なり、当該パケットの内容が字幕を消去するためのデータでない場合に、当該字幕データのパケットを削除することを特徴とする請求項１記載の字幕放送素材処理装置。
【請求項４】
前記制御手段は、トリミング終了位置に字幕データのパケットが重なる場合に、当該字幕の先頭パケットの重畳位置をトリミング終了位置の次の映像フレームに変更することを特徴とする請求項１記載の字幕放送素材処理装置。
【請求項５】
映像表示に合わせて画面上の指定位置にパケット構造の字幕データを表示する字幕放送素材データを格納し、送出指示に応じて送出する放送素材送出装置に用いられ、指示入力に応じて前記放送素材送出装置に格納された字幕放送素材データ中の映像データのトリミングが行なわれた場合に、このトリミングに応じた字幕表示処理を実行する字幕放送素材処理方法において、
前記映像データのトリミングが行なわれたとき、トリミングした映像の前後に重畳されている字幕データを検出し、
トリミング開始位置またはトリミング終了位置に字幕データのパケットが重なっている場合に、当該パケットの内容を解析し、この解析結果に基づいて前記映像データに対する字幕データのパケットの重畳位置変更・削除を制御するようにしたことを具備したことを特徴とする字幕放送素材処理方法。
【発明の詳細な説明】
【技術分野】
【０００１】
この発明は、例えば地上デジタル放送において、映像表示に合わせて字幕を表示させる技術に係り、特に映像のトリミングに合わせて適切な字幕表示を実現する字幕放送素材処理装置及び字幕放送素材処理方法に関する。
【背景技術】
【０００２】
現在、普及が進められている地上デジタル放送にあっては、視覚効果を高めると共に視聴覚障害者の視聴を配慮するために、番組の映像表示に合わせて画面上の指定位置に字幕を表示する機能が盛り込まれている。
【０００３】
ところで、放送局内では、字幕放送番組の送出素材を予めサーバに格納しておき、自動番組送出制御装置（ＡＰＣ）からの指示に従って該当する素材を再生し、オンエアを行うようになっている。このようなオンエア処理において、通常、オンエア前にサーバに格納された素材の中で不要な映像やオンエアしたくない映像を抜き取るトリミングが行われることがある。
【０００４】
ところで、映像のトリミングを行った場合、映像に重畳されている字幕データの表示タイミングがずれるため、字幕データの再収録を行うという煩雑な作業が強いられることになる。
【０００５】
なお、映像のトリミングに合わせて、映像に重畳されている字幕データの表示タイミングをオペレータによる手動で調整する手法も考えられている（例えば、特許文献１）。
【特許文献１】特開２００５−１２９９７１公報
【発明の開示】
【発明が解決しようとする課題】
【０００６】
しかしながら、字幕データの表示タイミングの調整までの作業の大半をオペレータによる人為的作業によって行っているため、オペレータにとっては煩雑な作業が強いられている。
【０００７】
そこで、この発明の目的は、映像データのトリミングに合わせて、字幕の重畳位置の自動調整を行い、これにより再収録業務の軽減を図り得る字幕放送素材処理装置及び字幕放送素材処理方法を提供することにある。
【課題を解決するための手段】
【０００８】
上記目的を達成するために、この発明に係る字幕放送素材処理装置は、映像表示に合わせて画面上の指定位置にパケット構造の字幕データを表示する字幕放送素材データを格納し、送出指示に応じて送出する放送素材送出装置に用いられ、指示入力に応じて放送素材送出装置に格納された字幕放送素材データ中の映像データのトリミングが行なわれた場合に、このトリミングに応じた字幕表示処理を実行する字幕放送素材処理装置であって、映像データのトリミングが行なわれたとき、トリミングした映像の前後に重畳されている字幕データを検出する検出手段と、この検出手段によりトリミング開始位置またはトリミング終了位置に字幕データのパケットが重なっている場合に、当該パケットの内容を解析し、この解析結果に基づいて映像データに対する字幕データのパケットの重畳位置変更・削除を制御する制御手段とを備えるようにしたものである。
【０００９】
この構成によれば、映像データのトリミングが行なわれたとき、トリミング情報を利用して、トリミングした映像の前後に重畳されている字幕データを検出し、トリミングによって字幕ページを構成するパケットが欠けてしまった字幕データを検出した場合に、字幕の重畳位置変更に先立ち、字幕データの内容をチェックし、この字幕データの内容に基づいて映像データに対する字幕のパケットの重畳位置変更か削除かを判定して実行するようにしている。
【００１０】
従って、字幕データの内容ごとに適切な重畳位置の自動調整を行うことができ、これによりオペレータの手操作による再収録業務の軽減を図ることが可能となる。
【発明の効果】
【００１１】
以上詳述したようにこの発明によれば、映像データのトリミングに合わせて、字幕の重畳位置の自動調整を行い、これにより再収録業務の軽減を図り得る字幕放送素材処理装置及び字幕放送素材処理方法を提供することができる。
【発明を実施するための最良の形態】
【００１２】
以下、この発明の実施形態について図面を参照して詳細に説明する。  
図１は、この発明に係る字幕放送素材処理装置が適用される放送素材送出システムの構成を示すブロック図である。図１において、番組サーバ１１は予めオンエア用放送番組の素材データ（字幕が重畳されているデータも含む）を格納しておくもので、ＡＰＣ１２から与えられるオンエア指示信号に応じて、該当する素材データを選択的に再生する。この再生データは、デコーダ１３によりビデオ信号にデコードされてオンエア出力される。
【００１３】
一方、この発明の一実施形態としての字幕タイミング調整器１４は、上位装置（図示せず）からのトリミング指示に従い、上記番組サーバ１１の素材データ中の映像のトリミングを行うとともに、トリミングに合わせて字幕の重畳位置の調整を行う。
【００１４】
図２は、上記字幕タイミング調整器１４の機能ブロック図である。
【００１５】
字幕タイミング調整器１４において、映像トリミング機能１４１により番組サーバ１１中の映像のトリミングが行なわれると、このトリミングが行われたタイムコードが字幕データ検索機能１４２に送られる。字幕データ検索機能１４２は、映像トリミング機能１４１から送られたタイムコードの前後に字幕データが重畳されているか否かを検索する。この検索結果は、字幕データ判定機能１４３に送られる。
【００１６】
字幕データ判定機能１４３は、上記検索結果からトリミング開始位置またはトリミング終了位置に字幕データのパケットが重なっている場合に、当該パケットの内容を判定し、この判定結果を字幕データ再重畳機能１４４に出力する。
【００１７】
字幕データ再重畳機能１４４は、上記判定結果に基づいて映像データに対する字幕のパケットの重畳位置変更・破棄を制御する。
【００１８】
上記構成において、以下に上記字幕データ再重畳機能の処理について説明する。  
図３は、上記字幕タイミング調整器１４の処理手順を示すフローチャートである。まず、字幕タイミング調整器１４は、上位装置からのトリミング指示入力を判断し（ステップＳＴ３ａ）、指示入力があった場合に（Ｙｅｓ）、番組サーバ１１から該当する映像データを取得してトリミングを行い、そのトリミング開始位置を示すタイムコードを取得し（ステップＳＴ３ｂ）、このタイムコードからトリミング開始位置に字幕のパケットがかかっているか否かを判定する（ステップＳＴ３ｃ）。
【００１９】
ここで、トリミング開始位置に字幕のパケットがかかっていなければ処理をそのまま終了するが、トリミング開始位置に字幕のパケットがかかっている場合に（Ｙｅｓ）、字幕タイミング調整器１４は字幕データの内容をチェックし（ステップＳＴ３ｄ）、このチェック内容が字幕を消去するためのデータであるか否かを判定する（ステップＳＴ３ｅ）。
【００２０】
ここで、字幕データの内容が、字幕データを消去するためのデータである場合に（Ｙｅｓ）、字幕タイミング調整器１４は字幕パケットの重畳位置をトリミング開始点より前に送出が完了するよう変更する（ステップＳＴ３ｆ）。
【００２１】
一方、字幕データの内容が、字幕データを消去するデータでない場合に（Ｎｏ）、字幕タイミング調整器１４は当該字幕パケットを破棄する（ステップＳＴ３ｇ）。
【００２２】
なお、上記処理以外において、トリミング終了点に字幕データがかかっている場合に、字幕タイミング調整器１４は字幕データの内容にかかわらず、字幕データの先頭パケットの重畳位置をトリミング終了点の次フレームに変更する。
【００２３】
図４に字幕重畳位置変更例を示す。図４（ａ）に示す映像データがトリミングされると、字幕タイミング調整器１４にてその映像データの字幕重畳ラインに字幕データがあるか否かが判断される。そして、図４（ｂ）に示すように、トリミング開始位置に字幕を消去するためのパケットが存在し、トリミング終了位置に字幕パケットが存在する場合に、図４（ｃ）に示すように、トリミング開始位置よりも前、トリミング終了位置より後に字幕パケットが重畳変更されることになる。
【００２４】
以上のように上記実施形態では、字幕タイミング調整器１４において、映像データのトリミングが行なわれたとき、字幕データ検索機能１４２によりトリミング開始位置を示すタイムコードまたはトリミング終了位置を示すタイムコードを利用して、トリミングした映像の前後に重畳されている字幕データを検出し、トリミングによって字幕ページを構成するパケットが欠けてしまった字幕データを検出した場合に、字幕の重畳位置変更に先立ち、字幕データ判定機能１４３にて字幕データの内容をチェックし、字幕データ再重畳機能１４４にてこの字幕データの内容に基づいて映像データに対する字幕のパケットの重畳位置変更か破棄かを判定して重畳変更処理を実行するようにしている。
【００２５】
従って、字幕データの内容ごとに適切な重畳位置の自動調整を行うことができ、これによりオペレータの手操作による再収録業務の軽減を図ることが可能となる。
【００２６】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２７】
【図１】この発明に係る字幕放送素材処理装置が適用される放送素材送出システムの構成を示すブロック図。
【図２】この発明に係る一実施形態とする字幕タイミング調整器の機能ブロック図。
【図３】上記実施形態の字幕タイミング調整器の処理手順を示すフローチャート。
【図４】上記実施形態の字幕重畳位置変更例を示すタイミング図。
【符号の説明】
【００２８】
１１…番組サーバ、１２…ＡＰＣ、１３…デコーダ、１４…字幕タイミング調整器、１４１…映像トリミング機能、１４２…字幕データ検索機能、１４３…字幕データ判定機能、１４４…字幕データ再重畳機能。
【図１】
2009077085.tif 000003
【図２】
2009077085.tif 000004
【図３】
2009077085.tif 000005
【図４】
2009077085.tif 000006